(57)【特許請求の範囲】
【請求項１】
被掃除面と対向する面に吸込口を開口する横長矩形状のケース体と、
前記吸込口に臨んで回転可能に配設された回転清掃体と、
前記ケース体の長手方向の一側に配設され前記回転清掃体と略同軸上に設けられる電動モータを有し、この電動モータにより前記回転清掃体を回転させる駆動手段と、
前記ケース体の前記駆動手段が配設される長手方向の一側の下面に、前記駆動手段が配設される位置に対して後部に設けられ、前記ケース体の前方に向けて植設される起毛を複数有した清掃体と、
前記ケース体の下面の前記清掃体の前方に設けられ、前記ケース体の側方外部と前記吸込口とを連通する凹溝状の連通凹部と
を具備したことを特徴とする電気掃除機の吸込口体。
【請求項２】
駆動手段が配設される位置に対してケース体の前側下面に設けられた掃除体を具備した
ことを特徴とする請求項１記載の電気掃除機の吸込口体。
【請求項３】
掃除機本体と、
この掃除機本体に接続される請求項１または２記載の電気掃除機の吸込口体と
を具備したことを特徴とする電気掃除機。
【発明の詳細な説明】
【０００１】
【発明の属する技術分野】
本発明は、回転清掃体を回転駆動する駆動手段を備えた電気掃除機およびその吸込口体に関する。
【０００２】
【従来の技術】
従来、この種の電気掃除機の吸込口体としては、例えば特開平６−３０４１００号公報に記載の構成が知られている。
【０００３】
この特開平６−３０４１００号公報に記載の電気掃除機の吸込口体は、走行方向に対して横長のケース体内に下面に吸込口を開口する吸込室およびこの吸込室の一側に位置して駆動室をそれぞれ区画形成している。そして、吸込室内には、吸込口に臨んで回転清掃体が回転自在に配設され、駆動室内には回転清掃体の軸方向の一端に略同軸上に係脱可能に係合する出力軸を備え回転清掃体を回転駆動する電動機が配設されている。
【０００４】
【発明が解決しようとする課題】
しかしながら、この特開平６−３０４１００号公報に記載の電気掃除機の吸込口体では、回転清掃体に対して略同軸上に電動機を配設しているため、電動機が位置するケース体の長手方向の一端側には吸込口を開口することができない。このことから、壁際を掃除する際に、吸込口から電動機が位置するケース体の一端までの距離が長くなり、壁際の塵埃を吸塵できなくなるおそれがある。
【０００５】
本発明は、上記問題点に鑑みなされたもので、回転清掃体を回転駆動する駆動手段を備えた構成でも効率よく吸塵できる電気掃除機およびその吸込口体を提供することを目的とする。
【０００６】
【課題を解決するための手段】
請求項１記載の電気掃除機の吸込口体は、被掃除面と対向する面に吸込口を開口する横長矩形状のケース体と、前記吸込口に臨んで回転可能に配設された回転清掃体と、前記ケース体の長手方向の一側に配設され前記回転清掃体と略同軸上に設けられる電動モータを有し、この電動モータにより前記回転清掃体を回転させる駆動手段と、前記ケース体の前記駆動手段が配設される長手方向の一側の下面に、前記駆動手段が配設される位置に対して後部に設けられ、前記ケース体の前方に向けて植設される起毛を複数有した清掃体と、前記ケース体の下面の前記清掃体の前方に設けられ、前記ケース体の側方外部と前記吸込口とを連通する凹溝状の連通凹部とを具備したものである。
【０００７】
そして、回転清掃体に略同軸上に係合して回転させる回転可能な出力軸を備えた電動モータを有する駆動手段が配設されるケース体の長手方向の一側の下面に、駆動手段が配設される位置に対して後部にケース体の前方に向けて植設される起毛を複数有した清掃体を設けるとともに、ケース体の下面の清掃体の前方にケース体の側方外部と吸込口とを連通する凹溝状の連通凹部を設けるため、駆動手段が配設されて吸込口が開口しないケース体の長手方向の一側の下面でもケース体の前進時に加わる被掃除面に押し付けられる力により、塵埃が清掃体にて効率よく掻き取られて効率よく吸塵される。
【０００８】
請求項２記載の電気掃除機の吸込口体は、請求項１記載の電気掃除機の吸込口体において、駆動手段が配設される位置に対してケース体の前側下面に設けられた掃除体を具備したものである。
【０００９】
そして、駆動手段が配設される位置に対してケース体の走行方向の前側下面に掃除体を設けるため、清掃体および掃除体間で風路が形成され、駆動手段が配設されるケース体の長手方向の一側の下面の負圧が増大し、清掃体および掃除体による塵埃の掻き取りに加えて負圧の増大により、吸塵効率が向上する。
【００１０】
請求項３記載の電気掃除機は、掃除機本体と、この掃除機本体に接続される請求項１または２記載の電気掃除機の吸込口体とを具備したものである。
【００１１】
そして、吸塵効率が向上する請求項１または２記載の電気掃除機の吸込口体を備えるため、掃除性が向上する。
【００１２】
【発明の実施の形態】
以下、本発明の実施の一形態を示す電気掃除機の構成を図面を参照して説明する。
【００１３】
図２４において、１は掃除機本体で、この掃除機本体１は、上面を開口した下部本体ケース2a、および、この下部本体ケース2aの後部上面を閉塞する上部本体ケース2bが、前面を含む周縁にバンパ３を挟持して接合されて前側上面を開口した本体ケース２を有している。そして、掃除機本体１は、本体ケース２の前側上面を開閉自在に閉塞する蓋体４を回動自在に軸支している。
【００１４】
また、本体ケース２は、進行方向の前側下面に図示しない旋回自在の旋回輪が取り付けられ、本体ケース２の後側側面に大径の従動輪６が回転自在に設けられ、掃除機本体１は旋回輪と従動輪６とにて被掃除面である床面上を走行可能となっている。さらに、本体ケース２の上部には、上下方向に摺動可能なハンドル７が設けられている。
【００１５】
そして、掃除機本体１内には、図示しない電動送風機が収容される電動送風機室が後側に区画形成され、この電動送風機の吸込側に連通しかつ上方が開放して蓋体４にて開閉され集塵フィルタを収容する図示しない集塵室が前側に区画形成されている。さらに、掃除機本体１の前側には、集塵室に臨んで開口しホース８が着脱可能に接続される接続口９が形成されている。
【００１６】
また、ホース８は、可撓なホース本体11と、このホース本体11の一端に設けられ掃除機本体１の接続口９に着脱可能に差し込み接続される接続管12と、ホース本体11の他端に設けられ延長管13を介して吸込口本体14が接続される把持部15とにて構成されている。そして、把持部15には、電動送風機の駆動状態を設定操作する各種スイッチ16，16を有した操作手段17が配設されている。
【００１７】
一方、吸込口本体14は、図１ないし図８に示すように、前後方向である走行方向に対して横長で、アクリロニトリル−ブタジエン−スチレン（ＡＢＳ）樹脂などの合成樹脂製の上面を開口した下部ケース21と、この下部ケース21の上部に上面の開口を覆い同材質の下面を開口する上部ケース22とが、下部ケース21および上部ケース22の前面を含む周面に沿って軟質部材の緩衝体23を挟持して結合固定されて、後部略中央が後方に向けて突出する凸字状のケース体24を備えている。
【００１８】
そして、下部ケース21は上面に略垂直にリブ部25を有し、ケース体24はリブ部25により横長矩形状の吸込部26とこの吸込部26の後部略中央に後方に一対突出する軸支部27，27とにて凸字状に形成されている。また、吸込部26内には、リブ部25により、前側に横長に位置し下部ケース21の下面に吸込口30が開口形成された吸込室31と、この吸込室31の後部略中央に連通して区画形成された風路室32と、吸込室31の長手方向の一端側に区画形成された駆動室33と、風路室32の駆動室33側に一方の軸支部27に亘って区画形成された回路室34と、風路室32の他側に他方の軸支部27に亘って区画形成された床面検出室35とが設けられている。そして、ケース体24の吸込室31の駆動室33と反対側の端部下面は下方に向けて開口し、この開口に閉塞板36が装着具37にて着脱可能に取り付けられている。
【００１９】
さらに、下部ケース21の下面には、駆動室33の下面に位置してケース体24の側方外部と吸込室31とを連通する凹溝状の第１の連通凹部38が設けられているとともに、吸込室31の両端側後部に位置してケース体24の後方外部と吸込室31とを連通する凹溝状の第２の連通凹部39が設けられている。
【００２０】
また、下部ケース21の下面には、前側両端部に位置して側方に向けてブラシ毛41が植設された掃除体としてのブラシ体42が設けられている。さらに、下部ケース21の下面には、駆動室33の下面後部に位置して前方に向けて起毛が植設された布部材にて形成された掃除体としての清掃体43が設けられている。
【００２１】
一方、上部ケース22は、下部ケース21の前側である吸込室31の略上面を覆う断面略円弧状のケース蓋体45と、このケース蓋体45の上面後部縁を覆うように間隙を介して着脱可能に取り付けられる吸気蓋部46と、下部ケース21の後側を軸支部27，27に亘って覆うケース覆部47とを備えている。そして、吸気蓋部46の前面には吸気口48が開口形成され、吸気口48はケース蓋体45との間隙が吸気風路49となって吸込室31に連通する。
【００２２】
さらに、ケース体24には、下部ケース21および上部ケース22に後部略中央で軸支部27，27間に位置して挟持固定され風路室32を区画する連結管部51が設けられている。この連結管部51は、図２、図３および図９ないし図１３に示すように、軸方向の一端側にラッパ状に拡開する吸込ラッパ部52が設けられ、他端側に略円筒状の連結吸込管部53が設けられた管状の吸込管部54を有し、この吸込管部54の略中間である吸込ラッパ部52と連結吸込管部53との間にフランジ状に突出し下部ケース21および上部ケース22に挟持される連結鍔部55を設けている。そして、連結管部51は、吸込管部54の吸込ラッパ部52が吸込室31内に向けて開口するように吸込ラッパ部52の周縁および連結鍔部55が下部ケース21および上部ケース22に挟持されて取り付けられる。なお、吸込管部54の吸込ラッパ部52の外周、連結鍔部55および下部ケース21との間には、回路室34と床面検出室35とを連通し電線57が配線される電線配線通路58が区画形成される。
【００２３】
また、連結鍔部55には、吸込管部54の外周側に沿って円弧状にリード線60が挿通される電線挿通孔61が設けられている。なお、この電線挿通孔61の縁は、リード線60が接触してもリード線60を損傷しないように面取り加工されている。また、吸込管部54の連結吸込管部53の外周面には、外方に突出する回転規制突部62が突設されている。
【００２４】
そして、下部ケース21の前部両端側には、従動前輪65が回転自在に軸支された従動前輪室66が形成されている。また、下部ケース21の一対の軸支部27，27には、それぞれ従動後輪67が回転自在に軸支された従動後輪室68が形成されている。なお、従動後輪67は、外周面に布などの柔軟部材やゴムなどの弾性部材である保護シート69が設けられている。そして、ケース体24は、従動前輪65と従動後輪67とにて被掃除面である床面上を走行可能になっている。
【００２５】
また、ケース体24の後部中央には、一対の軸支部27，27間に位置して連通管71が配設されている。この連通管71は、ケース体24に配設された連結管部51の吸込管部54の連結吸込管部53に回転自在に嵌着される継手部72と、一端を他端が上下方向に回動自在に継手部72に軸支される連通管部73とを備えている。
【００２６】
そして、連通管部73は、図１４ないし図１７に示すように、一端側が屈曲する略円筒状の筒状部74と、この筒状部74の一端に設けられた連通回動部75とにて構成されている。また、筒状部74の屈曲する側の外周面には、軸方向に長手状のカバー部76が内部に配線室77を区画形成して図示しないねじなどにて取付固定されている。
【００２７】
一方、連通回動部75は、筒状部74の軸方向に対して直交方向である左右方向に軸方向を有する略半円筒状で筒状部74の一端側に一体的に設けられた回動筒部80と、この回動筒部80内に一体に設けられ筒状部74の内面から内面が拡開するようにラッパ状に形成されたラッパ部81とを有し、回動筒部80の内面からラッパ部81の外面の空間部分に略放射状に補強リブ82が一体に設けられている。そして、連通回動部75には、補強リブ82の中心位置、すなわち回動筒部80の両端面位置に略同軸上に略円筒状の回転軸84がそれぞれ一体に設けられている。さらに、連通回動部75のラッパ部81が拡開する上下縁近傍で回動筒部80の軸方向に沿った縁には、外方に向けて壁状に突出する抜止爪部85が突設されている。そして、回動筒部80の外周面には、軸方向に沿って壁状で継手部72に当接して回動規制される回動規制リブ86が突設されている。
【００２８】
また、連通回動部75には、筒状部74が接続する基端位置に回動筒部80とラッパ部81との間の空間部分に連通する配線開口部88が開口形成されているとともに、一方の回転軸63、すなわち回路室側に位置する回転軸63には、軸方向に亘って配線切込部89が切欠形成されている。
【００２９】
さらに、連通管部73には、カバー部76に一体に設けられ筒状部74の外周面の一部を覆い内部がカバー部76内の配線室77および回動筒部80とラッパ部81との間の空間部分に連通する配線経路室91を区画形成する配線カバー部92が配設される。この配線カバー部92は、カバー部76に一連に設けられ筒状部74の外周面の一部を覆うカバー覆い部93を有し、このカバー覆い部93の一側縁には回動筒部80の一端側、すなわち配線切込部89が設けられた回転軸84が位置する側を、回動筒部80とラッパ部81との間の空間部分を覆って閉塞する扇部94が設けられている。さらに、扇部94には、回転軸84の外周曲率と同様に円弧状に突設されて回転軸84の配線切込部89に係合して閉塞する軸蓋部95が設けられ、この軸蓋部95が配線切込部89に係合することにより回転軸84は略円筒状に構成される。
【００３０】
また、配線カバー部92に覆われる連通管部73の外面には、凹溝状のリード線係合溝96が設けられている。
【００３１】
そして、カバー部76の連通回動部75側の上面には、連通管部73の軸方向を前後方向に沿って位置する状態で、水平方向に突出する一対の係止鍔部97，97が一対突設されている。これら係止鍔部97，97は、図２７および図２８に示すように、連通管部73の軸方向を吸込口本体14の下面である水平方向に沿って位置する状態で、ケース体24の軸支部27，27の先端上面に設けられた引っ掛け爪部98，98にそれぞれ係合可能となっている。
【００３２】
さらに、連通管部73には、軸方向を前後方向に沿って位置する状態で水平方向に沿った径方向の位置に、軸方向に沿った壁状の係止爪部99が一対突設されている。そして、これら係止爪部99，99は、図２５および図２６に示すように、連通管部73をケース体24の長手方向に沿って位置する状態で、ケース体24の軸支部27，27の先端上面に設けられた引っ掛け爪部98にそれぞれ係合可能となっている。
【００３３】
一方、継手部72は、連結管部51の吸込管部54を嵌合して回転自在に保持される風路管部としての内管部101およびこの内管部101に同軸上に径大の接続管部としての外管部102を有し、内管部101および外管部102の間に間隙103を有した二重管部104と、この二重管部104の一端縁半周に略半球状に突設された上継手部105と、この上継手部105の下面を覆ってねじ止めなどにより一体的に取り付けられる略半球状の下継手部106とにて構成されている。そして、内管部101の内面には、略半周に亘って壁状に突出し端部に連結管部51の回転規制突部62が当接する回転規制リブ108が突設され、連結管部51に対して継手部72が略１８０°の角度範囲で回動自在に軸支される。
【００３４】
さらに、上継手部105および下継手部106には、それぞれ対向して先端部が接合する上下方向に壁状に突設された略平行に一対の区画リブ110，110がそれぞれ設けられ、これら区画リブ110，110にて連通管部73の連通回動部75を収容する風路空間部111と、この風路空間部111の左右方向にそれぞれ区画形成された一対の内室112，112とが区画形成されている。また、区画リブ110，110には、接合する縁に略半円状に切欠部114，114が対向してそれぞれ切り欠き形成され、これら切欠部114，114にて連通管部73の回転軸84，84をそれぞれ回転自在に軸支する略円形の軸受孔115，115を構成する。
【００３５】
そして、配線切込部89が設けられた回転軸84を軸支する軸受孔115側の内室112には、二重管部104の間隙103に連通する連通挿通孔117が設けられている。また、この連通挿通孔117が設けられた側の区画リブ110には、切欠部114の一部が切り欠かれて内室112と風路空間部111とを連通する連通切欠部118が設けられている。そして、カバー部76内の配線室77は、配線カバー部92内の配線経路室91、配線開口部88、回動筒部80とラッパ部81との間の空間部分、配線切込部89、回転軸84の内周、連通切欠部118、内室112、連通挿通孔117、二重管部104の間隙103、連結管部51の電線挿通孔61を介してケース体24内の回路室34に連通する。
【００３６】
また、上継手部105および下継手部106には、風路空間部111に位置する部分で対向する位置に略コ字状に切欠形成された上切欠部120および連通管部73の回動規制リブ86が当接する下切欠部121がそれぞれ設けられ、これら上切欠部120および下切欠部121により連通管部73が上下方向へ回動するための逃げ部分となっている。
【００３７】
そして、連通管71には、一端に連通管部73のカバー部76から先端部分が突出して配設され延長管13の端部に設けられた図示しないコネクタに接続される端子ピン125が設けられたリード線60が、他端側を配線室77内から配線カバー部92内の配線経路室91、配線開口部88、回動筒部80とラッパ部81との間の空間部分、配線切込部89、回転軸84の内周、連通切欠部118、内室112、連通挿通孔117、二重管部104の間隙103、連結管部51の電線挿通孔61を介してケース体24内の回路室34内に配設されている。なお、連通管71は、連通管部73の筒状部74が延長管13およびホース８を介して掃除機本体１に着脱自在に接続され、吸込口30が掃除機本体１の接続口９に連通する。
【００３８】
さらに、ケース体24内には、吸込室31の左右方向の両端部に位置して設けられた図示しない軸受により回転自在に軸支された回転体としての回転清掃体130が配設されている。この回転清掃体130は、シャフト131と、このシャフト131の一端部に回転自在に設けられ軸受に係脱可能に装着される軸支部材132と、シャフト131の他端部に一体的に設けられたプーリ133と、シャフト131に螺旋状に設けられた凹溝状のブレード取付溝134、このブレード取付溝134に一縁が取り付けられシャフト131の外周面に壁状でスパイラル状に設けられ、先端側が一側に湾曲した清掃部材としてのブレード135および一面側である回転清掃体130が回転する方向の面に起毛が設けられた布ブレード136を有したブレード部137とを備えている。なお、図１、図２、図６および図７は、説明の都合上ブレード135および布ブレード136を直線状に示した。また、ブレード135の先端縁には、湾曲する方向と反対側に膨出して肉厚となる叩き部138が設けられている。
【００３９】
そして、回転清掃体130は、吸込口30に臨んで下端が従動前輪65および従動後輪67にて形成される平面より上方に位置し、平坦な床面である板の間には接触せず吸込口30に入り込む凹凸のある床面である絨毯にはブレード135が接触し、布ブレード136は従動前輪65および従動後輪67にて形成される平面より下方に位置し、板の間に接触してフローリングするように配設される。
【００４０】
さらに、回転清掃体130の駆動室33側に位置する一端に設けられたプーリ133は、図１８および図１９に示すように、略円盤状の円盤部140の外周縁に一面側に略円筒状に筒状部である係合筒部141が設けられ、係合筒部141が突出する一面に放射状で係合筒部141の内周面から所定の距離を介して突出する係合カム142が複数設けられている。また、円盤部140の他面側には、回転清掃体130のシャフト131に一体的に嵌着する取付筒状部143が設けられ、プーリ133は回転清掃体130の一端に一体的に設けられている。そして、プーリ133には、係脱可能に係合しプーリ133とにて駆動伝達体144を構成する出力プーリ145が設けられている。
【００４１】
また、ケース体24の駆動室33内には、図２０ないし図２３に示すように、回転清掃体130を回転させる駆動手段147が設けられている。この駆動手段147は、モータケース148と、このモータケース148に収容された電動モータ149とを備えている。
【００４２】
そして、モータケース148は、電動モータ149を嵌合収容する略円筒状で電動モータ149に給電する給電線150を挿通する電線挿通窓部151を開口するモータ保持部152と、このモータ保持部152の一端縁に略同軸上に径小で略円筒状に突設され出力プーリ145を収容するとともに先端部がプーリ133の係合筒部141内に接触することなく互いに回転自在に嵌挿する筒状部としてのプーリ保持部153とを有している。さらに、プーリ保持部153の外周面には、鍔状に突出する抜止め鍔部154aが設けられ、この抜止め鍔部154aとモータ保持部152との段差部154bとの間に下部ケース21および上部ケース22のリブ部25が係合する。また、モータ保持部152の外周面には、抜止め鍔部154aと段差部154bとの間に位置して、径方向に位置して突出する一対の回転止め爪部154cが設けられている。この回転止め爪部154cが下部ケース21および上部ケース22のリブ部25，25の接合部分に挟持され、モータケース148は回転不可能にケース体24内に配設される。
【００４３】
また、電動モータ149は出力軸155を備え、出力軸155がプーリ保持部153側に突出して電動モータ149がモータ保持部152に配設される。そして、出力軸155の先端部には、略角柱状のカム部156が設けられている。
【００４４】
一方、出力プーリ145は、モータケース148のプーリ保持部153に嵌挿可能な略円板状の円板部158の一面側に内周面が略角筒状で一面側に向けて開口して電動モータ149の出力軸155を覆って収容する連結筒状部159が設けられている。この連結筒状部159の内周面の対向する面の距離は、電動モータ149のカム部156の対角線上の寸法より短く形成され、出力軸155と回転清掃体130とが周方向で所定の角度範囲で互いに回転自在となるクリアランスを設けている。そして、この連結筒状部159の外周面にはモータケース148のプーリ保持部153内に嵌着固定されるベアリング160が嵌着固定され、出力プーリ145はベアリング160にてプーリ保持部153内に回転自在に配設される。なお、出力プーリ145がモータケース148に配設された状態では、電動モータ149の出力軸155の先端と出力プーリ145との軸方向に沿った間には、間隙が設けられ、出力軸155と回転清掃体130とが相対的に軸方向に摺動可能となるように、出力軸155のカム部156と回転清掃体130のプーリ133に係合する出力プーリ145とが間隙の寸法分のクリアランスを介して係合されている。
【００４５】
また、出力プーリ145の他面には、回転清掃体130のプーリ133の係合カム142間に係合するカム爪部161が放射状に複数突設されている。
【００４６】
一方、ケース体24の回路室34内には、電動モータ149を給電線150にて接続して電動モータ149の駆動状態を制御する図示しない制御回路を搭載しリード線60および電線57が接続される回路基板163が配設されている。そして、この回路室34が、リード線60の弛み分を収容するリード線収容室となる。なお、弛むリード線60が位置する部分にはリード線60が引っ掛かる突起などがないようにする。すなわち、例えば回路基板163に取り付けられる電気部品は、プリント基板の一面側にのみ設け、この一面側を下方に向けて配設するようにし、回路基板163の上面には電気部品のリード線や半田付け部分などが突出しないようにするとよい。
【００４７】
また、床面検出室35内には、回路基板163に電線配線通路58を介して配線した電線57にて接続される床面検知手段165が配設されている。この床面検知手段165は、回転自在の車輪166を有し軸部材167にて車輪を軸支する側を回動自在に軸支される車輪受け168と、この車輪受け168を常時下方に付勢してケース体24の下面から車輪166を進退可能に突出させるトーションばねや板ばねなどの図示しない付勢手段と、車輪166の下端が所定位置、例えば従動前輪65および従動後輪67にて形成される平面より下方に突出したことを検知する検知スイッチ169とを備えている。そして、床面検知手段165は、車輪166の下端が従動前輪65および従動後輪67にて形成される平面より下方に突出したことを検知スイッチ169にて検知すると、回路基板163の制御回路にて電動モータ149の駆動を停止させる制御をする。
【００４８】
さらに、上部ケース22の吸気蓋部46の駆動室33側の端部には、電動モータ149が駆動している際に点灯する回路基板163に接続された図示しない発光ダイオードなどの点灯部材が臨む表示窓部170が設けられている。
【００４９】
次に、上記実施の形態の動作について説明する。
【００５０】
掃除を行う際、掃除機本体１に延長管13およびホース８を介して吸込口本体14を接続する。この接続により、吸込口本体14の端子ピン125が延長管13の図示しないコネクタに接続され、吸込口本体14内の電動モータ149が、給電線150、回路基板163、リード線60、延長管13およびホース８に設けられた図示しない電源線を介して掃除機本体１に電気的に接続されて、電源が供給される。この状態で、ホース８の把持部15を持って操作手段17のスイッチ16の操作により、適宜電動送風機を所望の駆動状態で駆動させるとともに電動モータ149を駆動させる。この電動モータ149の駆動の際、上部ケース22の表示窓部170を介して点灯部材の点灯が認識され、電動モータ149が駆動していることを表示する。
【００５１】
この電動送風機の駆動により、電動送風機の負圧側に連通する吸込室31内が負圧となって吸気口48から吸気され、この吸気された吸気流が回転清掃体130のブレード135および布ブレード136に当たって回転清掃体130を回転させる。この吸気流は、回転清掃体130のブレード135および布ブレード136に略垂直に吹き付けられた後、回転清掃体130の軸方向に沿うようにケース体24の中心の風路室32に向けて集まるように回転清掃体130の回転に長い距離で作用して回転トルクを増大させつつ連通管71に流れる。また、電動モータ149の駆動により、出力軸155がカム部156とともに回転し、カム部156の角部分が出力プーリ145の連結筒状部159の内面に当接して出力プーリ145が回転し、連結するプーリ133を介して回転清掃体130が回転する。このように、吸気流による回転と電動モータ149の駆動による回転とにて、回転清掃体130は大きなトルクで回転する。
【００５２】
そして、ホース８の把持部15を押動して吸込口本体14を床面上で前後に走行させる。なお、床面上を吸込口本体14が走行する際には、連通管71の軸方向は吸込口本体14の走行方向である前後方向に沿った状態である第１の掃除形態となる。
【００５３】
この吸込口本体14の床面上での走行により、床面が絨毯などの場合、回転する回転清掃体130のブレード135の叩き部138が床面に衝突して塵埃を叩き出すとともにブレード135が掻き出しあるいは掃き取りして掻き取り、塵埃を吸込口30から吸い込む。また、床面が板の間や畳などの比較的に平坦な場合、回転する回転清掃体130の布ブレード136が床面を磨きつつ床面上の塵埃を掃き取り、吸込口30から吸い込む。さらに、吸込口30が開口しないケース体24の下面の位置では、ブラシ体42および清掃体43が床面から塵埃を掻き出しあるいは掃き取りして掻き取る。なお、清掃体43は、起毛が前進方向に向けて植設されているので、ホース８の把持部15を持って吸込口本体14を押動して前進させる際、起毛が逆毛となって塵埃を効率よく掻き出す。また、吸込口本体14の後退時には、吸込口本体14が持ち上げられるような力が作用するので、清掃体43が床面を磨くように塵埃を掃き取る。
【００５４】
また、吸込口本体14の側方、特に駆動室33により吸込口30までの距離が長くなる一側の塵埃は第１の連通凹部38を介して吸込口30に吸い込まれる。さらに、ブラシ体42および清掃体43にてこれらの間が吸込口30に連通する風路となり、駆動手段147が位置する部分でも負圧が増大し、一側からでも効率よく吸塵される。
【００５５】
そして、空気とともに吸い込んだ塵埃は、延長管13およびホース８を介して掃除機本体１の集塵室に流入して捕捉する。
【００５６】
一方、家具の間などの比較的狭い隙間を掃除、すなわち横長の吸込口本体14が走行できない幅寸法の床面を掃除する場合には、図２５および図２６に示すように、連通管71の軸方向が吸込口本体14の長手方向に沿うように連通管71を回動し、連通管71の係止爪部99をケース体24の引っ掛け爪部98に係合させて連通管71の回動を規制して吸込口本体14を長手方向が走行方向となるように掃除形態を可変して第２の掃除形態にする。そして、この状態で家具の間などの隙間部分に吸込口本体14を滑り込ませるようにして掃除する。
【００５７】
また、家具の下などの比較的高さが低い場所を掃除、すなわちケース体24の高さ寸法より高くケース体24は入り込めるが連通管71や延長管13がぶつかってしまう場所を掃除する場合、図２７および図２８に示すように、連通管71の軸方向が吸込口本体14の下面である水平方向に沿うように連通管71を回動し、連通管71の係止鍔部97をケース体24の引っ掛け爪部98に係合させて連通管71の回動を規制して掃除形態を可変して第３の掃除形態にする。そして、この状態で家具の下などの隙間部分に吸込口本体14を滑り込ませるようにして掃除する。
【００５８】
なお、掃除形態を第１の掃除形態から第２の掃除形態あるいは第３の掃除形態に可変する際、リード線60を挿通する連結管部51の電線挿通孔61と継手部72の連通挿通孔117とが対向しなくなり、電線挿通孔61および連通挿通孔117間の距離が長くなる。この距離が長くなる分のリード線60が、回路室34から引き出されるように移動し、リード線60が断線することはない。また、再び掃除形態が第１の掃除形態に可変する場合には、電線挿通孔61および連通挿通孔117が対向してこれらの距離が短くなり、リード線60の余剰分はリード線60自体の剛性により再び回路室34内に収容される。
【００５９】
そして、掃除の中断によりホース８を床面上においた場合、あるいは吸込口30に閉塞した塵埃の除去、回転清掃体130に絡み付いた糸ゴミなどの除去のために、吸込口本体14の下面が床面から離間すると、床面検知手段165が付勢手段の付勢により車輪166が所定位置より突出、すなわち従動前輪65および従動後輪67にて形成される平面より下方に突出したことを検知スイッチ167にて検知して床面を検知しなくなると、回路基板163の制御回路が吸込口本体14の下面が床面から離間して床面を検知しないと判断して電動モータ149の駆動を停止させる。そして、吸込口本体14の下面が床面から離間することにより吸込室31内の負圧も小さくなり、吸気口48からの吸気量も低減する。この電動モータ149の駆動停止および吸気量の低減により、回転清掃体130の回転は停止する。
【００６０】
上述したように、回転清掃体130に略同軸上に係合して回転させる回転可能な出力軸155を有する電動モータ149を備えた駆動手段147が配設されるケース体24の長手方向の一側の下面にブラシ体42および清掃体43を設けるため、吸込口30が開口せず吸込口30からの距離が遠くなる駆動手段147が配設されるケース体24の長手方向の一側の下面でも、塵埃がブラシ体42および清掃体43にて掻き取られて効率よく吸塵できる。
【００６１】
そして、駆動手段が配設される位置に対してケース体の走行方向の前側下面にブラシ体42を設け、駆動手段が配設される位置に対してケース体の走行方向の後側下面に清掃体43を設けるため、ブラシ体42および清掃体43間で風路が形成され、駆動手段147が配設されるケース体24の長手方向の一側の下面の負圧を増大でき、ブラシ体42および清掃体43による塵埃の掻き取り効果に加えて負圧の増大により、吸塵効率を向上できる。
【００６２】
さらに、ブラシ体42による塵埃の掻き取りおよび掃き取りと、清掃体43による塵埃の掻き取りおよび拭き取りが得られ、掃除性を向上できるとともに、清掃体43の起毛をケース体24の前進方向に向けて植設するため、ケース体24の前進時に加わる床面に押し付けられる力により塵埃を効率よく掻き取りでき、後退時に吸込口本体14が持ち上げられるように作用する力により床面を磨くように塵埃を効率よく掃き取りでき、走行性も向上でき、掃除性を向上できる。
【００６３】
そして、駆動手段147の電動モータ149の出力軸155を回転清掃体130の軸方向の一端に間隙を介して対向させ、出力軸155と回転清掃体130とが相対的に軸方向に摺動可能となるように、出力軸155のカム部156と回転清掃体130のプーリ133に係合する出力プーリ145とが周方向に係合されて出力軸155の回転を回転清掃体130に伝達させるため、例えば第２の掃除形態あるいは第３の掃除形態で掃除の際に回転清掃体130が軸方向に移動する力が作用しても、出力軸155には直接力が作用せず、出力プーリ145を保持しケース体24に取り付けられるモータケース148に分散するので、出力軸155を介して駆動手段147の電動モータ149に負荷が掛かることを防止でき、駆動手段147の電動モータ149の損傷を防止できる。
【００６４】
また、駆動手段147の電動モータ149の出力軸155と回転清掃体130のプーリ133に係合する出力プーリ145とは、所定の角度範囲で周方向に互いに回転自在に係合するため、掃除の際に回転清掃体130が床面から受ける負荷が出力軸155を介して駆動手段147の電動モータ149に伝達することを抑制でき、駆動手段147の電動モータ149の損傷を防止できる。
【００６５】
さらに、回転清掃体130に着脱可能に係合するとともに駆動手段147の電動モータ149の出力軸155を覆って係合する出力プーリ145を設けたため、駆動手段147の電動モータ149の駆動を回転清掃体130に伝達するためのプーリ133と出力軸155との芯出しが容易で、回転清掃体130をケース体24内に回転自在に組み付ける作業が容易にでき、組立製造性を向上できるとともに、例えば糸ゴミなどの塵埃が絡み付いても回転清掃体130を取り外すのみで容易に除去でき、保守管理性を向上できる。
【００６６】
また、回転清掃体130および駆動手段147に径方向で互いに重なり合って互いに回転自在に嵌挿する係合筒部141およびプーリ保持部153をそれぞれ設けたため、例えば糸ゴミなどの塵埃が回転清掃体130および駆動手段147との係合部分に絡み付きにくくなり、安定した回転清掃体130の回転が得られるとともに、絡み付く糸ゴミなどの塵埃の除去作業を低減でき、保守管理性を向上できる。
【００６７】
そして、軸方向がケース体24の前後方向に沿う位置の第１の掃除形態と長手方向に沿う位置の第２の掃除形態あるいは第３の掃除形態との異なる掃除形態に選択可能で軸方向を回転中心として半回転以下の角度範囲で回動自在に軸支される連通管71のケース体24に回転自在に軸支される外管部102と、この外管部102に略同軸上に設けられ吸込口30に連通する内管部101との間の間隙103にリード線60を挿通し、駆動手段147の電動モータ149に電気的に接続するため、異なる掃除形態に可変可能に回動自在に連通管71を軸支する構成でも、外管部102および内管部101の二重管構造の間にリード線60を挿通する簡単な構造で、連通管71の回動によりリード線60が巻き付いて断線したりねじ切れるなどの損傷を生じることなく、吸込口30から吸い込んだ空気の流通に影響せず、駆動手段147に安定して給電できる。
【００６８】
また、リード線60が接続される回路基板163が配設されるケース体24内の回路室34を弛むリード線60を収容するリード線収容室としたため、例えばリード線収納室を連通管71に設けることにより連通管71が大型化して、連通管71の回動性が損なわれることを防止でき、連通管71を回動して掃除形態を可変する動作が容易にでき、掃除作業性を向上できる。
【００６９】
なお、上記実施の形態において、キャニスタ型の電気掃除機に限らず、吸込口本体14が掃除機本体１の下面に直接形成されたアップライト型、その他、掃除機本体１と吸込口本体14とが一体化された自走式の電気掃除機などにも適用することができる。
【００７０】
また、継手部72および連通管部73にて連通管71を構成して説明したが、例えばケース体24に上下方向に回動可能に設けた連通管部73に、延長管13が接続される継手部72を回転可能に連結して連通管71を構成するなど、軸方向がケース体24の前後方向に沿う位置と長手方向に沿う位置とに選択可能に回動自在のいずれの構成でもできる。
【００７１】
なお、ケース体24に略円筒状の連結管部51を設けるとともに、この連結管部51に回転自在に嵌合する二重管部104を有した継手部72に一端を他端が上下方向に回動自在に連通管部73を設けて連通管71を軸方向がケース体24の前後方向に沿う位置と長手方向に沿う位置とに選択可能に構成したため、継手部72に連通管部73を回動軸支するために内室112，112が形成され、この内室112，112を利用して弛み分を収容する構成とすることにより、別途リード線60を収容する空間を設ける必要がなく、小型化が図れる。
【００７２】
また、回転清掃体130を回転駆動させたが、回転体としては例えば走行輪を回転駆動させて吸込口本体14の走行性を向上させる構成としてもよい。さらに、回転清掃体130としては、１つに限らず複数回転駆動させてもよく、ブレード135の他に、起毛を壁状に設けた回転ブラシや、布ブレード136を設けたもの、ブラシや布ブレード136、ブレード135を組み合わせたいずれの清掃部材を備えたものでもよい。
【００７３】
さらに、電動モータ149の駆動を回転清掃体130に伝達する構成としては、出力軸155と軸方向で間隙を介して摺動可能でかつ周方向に係合して回転を伝達可能な構成であれば、いずれの構成でもよい。
【００７４】
また、出力プーリ145を用いたが、直接回転清掃体130のプーリ133を出力軸155に軸方向で間隙を介して摺動可能でかつ周方向に係合させてもよい。
【００７５】
そして、連通管71のケース体24に対して１８０°以下の角度に回転規制する構成としては、例えば連通管71が回動することにより軸支部27に当接して回転規制される構成など、いずれの構成により回転規制してもよい。
【００７６】
また、内管部101と外管部102とを略同軸上に設けた二重管構造にて説明したが、内管部101の中心軸が外管部102の中心軸から変位する二重管構造、内管部101の中心軸が外管部102の中心軸と平行でない二重管構造など、外管部102の内周面と内管部101の外周面との間に間隙103を形成するいずれの二重管構造でもよい。
【００７７】
さらに、余剰のリード線60を回路室34に収容して説明したが、風路室32を介して回路室34と反対側の床面検出室35に収容するリード線収容室を区画形成するなど、ケース体24のいずれの位置に弛むリード線60を収容してもよい。なお、上記実施の形態のように、ケース体24内に収容する構成によれば、連通管71が大型化して連通管71の回動範囲が規制されることを防止できることから、ケース体24内、特に連通管71の回動範囲外でケース体24を大型化することがない位置、例えば回路室34あるいは床面検出室35、特にリード線60が接続される回路基板163を収容する回路室34が好ましい。
【００７８】
そして、出力軸155と回転清掃体130とを周方向に所定の角度範囲で互いに回転自在にクリアランスを設けて係合させたが、周方向にはクリアランスを設けずに係合させてもよい。
【００７９】
また、互いに回転自在に嵌挿する係合筒部141およびプーリ保持部153を設けて説明したが、径方向で互いに重なり合って互いに回転自在に嵌挿するいずれの構成でもよく、また設けなくてもよい。
【００８０】
そして、駆動手段147が配設される位置に対してケース体24の走行方向の前側下面および後側下面にそれぞれブラシ体42および清掃体43を設けて説明したが、例えば駆動手段147が位置する下面に設けたり、前後両側にブラシ体42あるいは清掃体43のみを設けてもよい。
【００８１】
【発明の効果】
請求項１記載の電気掃除機の吸込口体によれば、回転清掃体に略同軸上に設けた電動モータを有する駆動手段が位置するケース体の長手方向の一側の下面に、駆動手段が配設される位置に対して後部にケース体の前方に向けて植設される起毛を複数有した清掃体を設けるとともに、ケース体の下面の清掃体の前方にケース体の側方外部と吸込口とを連通する凹溝状の連通凹部を設けるため、駆動手段が位置し吸込口が開口しないケース体の一側下面でもケース体の前進時に加わる被掃除面に押し付けられる力により、塵埃を清掃体にて効率よく掻き取って効率よく吸塵できる。
【００８２】
請求項２記載の電気掃除機の吸込口体によれば、請求項１記載の電気掃除機の吸込口体の効果に加え、駆動手段が配設される位置に対してケース体の走行方向の前側下面に掃除体を設けるため、清掃体および掃除体間で風路が形成され、駆動手段が位置するケース体の下面の負圧が増大し、清掃体および掃除体による塵埃の掻き取りに加えて負圧の増大により、吸塵効率を向上できる。
【００８３】
請求項３記載の電気掃除機によれば、吸塵効率が向上する請求項１または２記載の電気掃除機の吸込口体を備えるため、掃除性を向上できる。
【図面の簡単な説明】
【図１】本発明の実施の一形態を示す吸込口本体の底面図である。
【図２】同上吸込口本体の平面断面図である。
【図３】同上吸込口本体の中央位置での側面断面図である。
【図４】同上吸込口本体の端部における側面断面図である。
【図５】同上吸込口本体を示す平面図である。
【図６】同上正面図である。
【図７】同上背面図である。
【図８】同上側面図である。
【図９】同上吸込口本体の連通管の接続部分を示す斜視図である。
【図１０】同上上部ケースおよび連結管部の関係を示す平面図である。
【図１１】同上連結管部を示す背面図である。
【図１２】同上連結管部および連通管を示す分解斜視図である。
【図１３】同上継手部の上継手部を示す側面断面図である。
【図１４】同上連通管の連通管部を示す分解斜視図である。
【図１５】同上連通管部を示す平面図である
【図１６】同上カバー部を取り外した連通管部を示す平面図である。
【図１７】同上連通管部を示す分解側面図である。
【図１８】同上駆動手段と回転清掃体との接続状況を示す断面図である。
【図１９】同上回転清掃体のプーリを示す平面図である。
【図２０】同上モータケースと出力プーリとを示す側面断面図である。
【図２１】同上正面断面図である。
【図２２】同上平面断面図である。
【図２３】同上平面図である。
【図２４】同上電気掃除機本体を示す斜視図である。
【図２５】同上第２の掃除形態の吸込口本体を示す平面図である。
【図２６】同上背面図である。
【図２７】同上第３の掃除形態の吸込口本体を示す平面図である。
【図２８】同上背面図である。
【符号の説明】
１    掃除機本体
14    吸込口本体
24    ケース体
30    吸込口
42    掃除体としてのブラシ体
43    清掃体
130   回転清掃体
147   駆動手段
155   出力軸
【図１】
0003594174.tif 000002
【図２】
0003594174.tif 000003
【図３】
0003594174.tif 000004
【図４】
0003594174.tif 000005
【図５】
0003594174.tif 000006
【図６】
0003594174.tif 000007
【図７】
0003594174.tif 000008
【図８】
0003594174.tif 000009
【図９】
0003594174.tif 000010
【図１０】
0003594174.tif 000011
【図１１】
0003594174.tif 000012
【図１２】
0003594174.tif 000013
【図１３】
0003594174.tif 000014
【図１４】
0003594174.tif 000015
【図１５】
0003594174.tif 000016
【図１６】
0003594174.tif 000017
【図１７】
0003594174.tif 000018
【図１８】
0003594174.tif 000019
【図１９】
0003594174.tif 000020
【図２０】
0003594174.tif 000021
【図２１】
0003594174.tif 000022
【図２２】
0003594174.tif 000023
【図２３】
0003594174.tif 000024
【図２４】
0003594174.tif 000025
【図２５】
0003594174.tif 000026
【図２６】
0003594174.tif 000027
【図２７】
0003594174.tif 000028
【図２８】
0003594174.tif 000029